(57)【要約】      （修正有）【課題】鼻孔から吸入される空気の全てを、鼻孔マスクのフイルターで漉すことにより、不快な症状の発症を抑制するための、アレルゲン除去用品を提供する。【解決手段】鼻孔に挿入して使用する鼻孔マスクを形成するカプセルは、円形筒型円錐形状とし、挿入される片側はくびれて細くなっている。カプセルの内部にはフィルター４を設け、前記フィルター４は網目状かつ内部でＵ字状をなし、側面をジャバラ状とし、表面積を増し、空気の出入を良くした。また、前記カプセルの素材は、食用素材を用い、人体に対する害を抑える。【選択図】図３
0003176601.tif 000002
【実用新案登録請求の範囲】
【請求項１】
銚子のような円形をした筒状のカプセル（１）の内部に、Ｕ字型のフイルター（４）を設けて二重構造とした事を特徴とする鼻孔マスク
【請求項２】
Ｕ字型のフイルター（４）の側面をジャバラ（５）状に形成して、フイルターを通過する空気の量をより多くした事を特徴とする請求項１記載の鼻孔マスク
【考案の詳細な説明】
【考案の詳細な説明】
【産業上の利用分野】
【０００１】  アトピー素因を持っている人が花粉やハウスダスト・真菌などのアレルゲンを吸入すると、鼻汁を流したりクシャミを連発したり、喉のかゆみや涙が出たりするなど不快な症状を発症します、この事を防ぐためにマスクが使用されます、しかし、鼻孔や口から吸入される空気のすべてをマスクの細かい網目を通過させるのは極めて困難です、顔面には凹凸がありますから空気は顔の表面とマスクの隙間を通過して簡単に吸い込まれてしまいます、アレルゲンによる不快な症状を従来のマスクで完全に防ぐことは出来ないのです、本考案は鼻孔から吸入される空気のすべてを、鼻孔マスクのＵ字型フイルターで漉すことにより、不快な症状の発症を抑制するアレルゲン除去用品を提供することを目的としています、又、パーテイや会議でのスピーチ、食事等、日常の生活でマスクの使用を控えなければならない時もあります、この様な場合に取扱いが簡単で、不快な症状を抑制する効果の高い鼻孔マスクはとても重宝します。
【従来の方法】
【０００２】  従来では、花粉やハウスダスト・真菌などのアレルゲンが体内に吸入される事を防ぐために、鼻や口を覆うマスクが使用されています、マスクを構成する素材には紙や布が使われております、微細なアレルゲンを漉し取るために、マスクの網目を極小にしたうえに二重・三重の構造になっています、空気は網目を通りにくくなり、凹凸のある顔の表面とマスクの隙間から容易に流れ込みます、この事からマスクの形状も改良され、より顔を包み込むために大きくなってきておりす、しかし、どんなに顔面とマスクの密着度を高めても、空気はマスクの網目を避けて楽に通過できる隙間を求めます、凹凸の差が大きい鼻と頬の間の部分から抜け出す息が、メガネを曇らせてしまう事からしてもその効果は限定的といわざるをえないのです。
【考案が解決しようとする課題】
【０００３】  考案が解決しようとする課題を整理すると次の３項目にまとめることができる
【０００４】  ▲１▼鼻孔から吸入される空気のすべてを鼻孔マスクのフイルター（４）を通過させて、アレルゲンを漉し取りたい
【０００５】  ▲２▼微細なアレルゲンを漉し取るフイルター（４）の網目は極小です、この事から呼吸が苦しくなりますので、フイルターの面積を拡大して通過する空気の量を増大したい
【０００６】  ▲３▼風邪をひいた時などに鼻汁が流れ出る事があります、鼻汁でフイルターが濡れて目詰りしますので、目詰りするまでの時間をより遅くしたい
【課題を解決するための手段】
【０００７】  鼻孔マスクを形成するカプセル（１）は、図１に示すように銚子に似た円形で筒型の形状です、カプセル（１）の中を通過する空気の出入り口は前後２ケ所で、その一方の出入り口Ｂ（３）はくびれて細くなっています、カプセルの太さは人の鼻孔にすっぽりと収まる１０ｍｍ前後、長さは１５ｍｍ程です、カプセル（１）の内部には、図２に示すようにアレルゲンを漉し取るためフイルター（４）が設けられています、フイルターの網目は極小です、そのために呼吸が苦しくなってしまいます、この事を改善するためにはフイルターの面積を最大限に広くしなければなりません、本考案では、フイルターの形状を、図２に示すＵ字型にして面積を拡大すると共に、フイルター（４）にジャバラ（５）を設ける事で更に面積を拡大させました、カプセル（１）を構成する素材には料理で使用するマカロニやパスターの原料である小麦のセモリナが最適です、当素材は乾燥すると堅くなり強度が増します、食べ物ですから人体に害はなく人肌に良くなじみます、水分を吸収しますと時間をかけてゆっくりと膨脹して柔らかくなり、図４に示すようにカプセル（１）は、鼻孔（６）内部に隙間なくピッタリと収まり空気漏れを防ぎます、呼吸によって出入りする空気のすべてはフイルターの網目を通過し、含まれているアレルゲンが漉し取られます、次に鼻孔内部は風邪をひいている時などに鼻汁が流れ出ることがあります、鼻汁は鼻孔の内壁からゆっくりと流れ落ちますが、フイルター（４）はカプセル（１）に包まれた２重構造であり、更にカプセル（１）の出入り口Ｂ（３）はくびれて細くなっていますので、鼻汁は簡単に流れ込む事はできません、フイルター（４）が濡れて目詰りするまでにはかなりの時間を要します
【考案を実施するための形態】
【０００８】  本考案の鼻孔マスクはアレルギー性鼻炎を発症している人や、風邪をひいている人が従来のマスク替わりに使用します、使い方は、カプセル（１）の出入り口Ｂ（３）を先にしてゆっくりと鼻孔（６）に挿入します、カプセル（１）の出入り口Ａ（２）が外から見えると恥ずかしいので隠れる程に挿入します、鼻孔マスクの色は肌色にすることで装着後に他人に気付かれることはありません、鼻呼吸をする限り体内に取り込まれる空気は、Ｕ字型のフイルター（４）を通過しますのでアレルギー性鼻炎の発症を抑制します、鼻孔マスクを取り外す時は指でつまんで簡単に取り出せますが、カプセル（１）を構成する素材のデュラム小麦のセモリナは、水分を吸収しますと時間をかけてゆっくりと柔らかくなり、その表面はぬるりとした状態になりますのでテッシュを用いて鼻をかみますと簡単に取り出す事ができます、
【考案の効果】
【０００９】  本考案は上述の通り構成されているので次ぎに記載する効果を奏する。
【００１０】  ▲１▼フイルター（４）の形状を、図２に示すＵ字型にしたのでフイルターの面積が広くなり、加えてフイルターの側面をジャバラ（５）状にした事で、更に面積が拡大されて通過する空気の量が増大しますので呼吸が楽に出来るようになります、
【００１１】  ▲２▼カプセル（１）は水分を含むと膨脹して柔らかくなりますので、鼻孔マスクはよりぴったりと装着されますので空気の漏れをふせぎます、鼻呼吸により体内に取り込む空気のすべてをフイルター（４）を通過させる事が出来ますので、アレルゲンを効率良く吸着除去出来ます
【００１２】  ▲３▼フイルター（４）を内臓するカプセル（１）は空気出入り口Ｂ（３）の部分がくびれて細くなっていますので、カプセルを鼻孔（６）に楽に装着する事が出来ると共に、流れ出る鼻汁がカプセル（１）の中に直接侵入する事を防ぐ効果が働きますのでＵ字型、フイルター（４）が濡れて目詰まりするまでの時間を大幅に遅らせることが出来ます、
【図面の簡単な説明】
【００１３】
【図１】  鼻孔マスクを形成するカプセル（１）の斜視図
【図２】  フイルター（４）の斜視図
【図３】  鼻孔マスクの断面図
【図４】  鼻孔マスクが鼻孔（６）に装着されたことを示す断面図
【符号の説明】    １  カプセル
２  出入り口Ａ
３  出入り口Ｂ
４  フイルター
５  ジャバラ
６  鼻孔
７  鼻中隔
８  皮膚
【図１】
0003176601.tif 000003
【図２】
0003176601.tif 000004
【図３】
0003176601.tif 000005
【図４】
0003176601.tif 000006